(57)【特許請求の範囲】
【請求項１】
撮像装置であって、
被写体像に関する撮影画像を取得する撮像素子と、
表示部と、
前記撮影画像を第１の記憶部に一時的に記録する一時記録モードを有効化するか否かを設定する設定手段と、
前記一時記録モードが有効化された状態で使用者の所定の指示操作が取得された場合、前記一時記録モードが有効化された時から前記所定の指示操作が取得された時までの間に前記第１の記憶部に記録された前記撮影画像を前記表示部に再生表示させる表示制御手段と、
前記再生表示された前記撮影画像の中から使用者によって指定された画像を、保存対象画像として第２の記憶部に記録する記録制御手段と、を備え、
前記記録制御手段は、
前記撮像装置の電源オフ指示の検出または前記使用者による前記再生表示の解除指示の検出に応じて、前記再生表示された前記撮影画像のうち前記使用者によって指定されなかった非指定画像を前記第１の記憶部から消去する消去手段を有する撮像装置。
【請求項２】
請求項１に記載の撮像装置において、
使用者による前記非指定画像の消去指示を検出する消去指示検出手段、をさらに備え、
前記消去手段は、前記消去指示の検出に応じて、前記非指定画像を消去する撮像装置。
【請求項３】
請求項１に記載の撮像装置において、
前記第１の記憶部に前記非指定画像が存在する場合は、前記消去手段によって当該非指定画像が消去される前に、警告を発する警告手段、をさらに備える撮像装置。
【請求項４】
請求項１に記載の撮像装置において、
前記記録制御手段は、前記第１の記憶部における前記撮影画像の記録領域が所定の上限値より大きくなる場合は、前記第１の記憶部における前記撮影画像の一部を消去する撮像装置。
【発明の詳細な説明】
【技術分野】
【０００１】
本発明は、撮像装置に関する。
【背景技術】
【０００２】
撮影された画像（撮影画像）をメモリカード等の記録デバイスに自動的に保存し、撮影終了後に記録デバイスに保存された撮影画像を表示部に再生表示させる再生モード機能を有したデジタルカメラが存在する。
【０００３】
このようなデジタルカメラでは、ユーザは、再生モードにおいて再生表示された画像を視認しながら、記録デバイスに保存された撮影画像の中から不要な画像を削除（消去）することができる。例えば、特許文献１では、ユーザの削除操作により削除候補となった記録媒体中の情報ファイルを削除ファイルとして指定ディレクトリに移動させ、記録媒体の記録可能領域の減少に応じて、指定ディレクトリ内の削除ファイルを消去し、記録可能領域を確保する技術が提案されている。
【０００４】
【特許文献１】特開２００７−３６５８２号公報
【発明の開示】
【発明が解決しようとする課題】
【０００５】
しかしながら、上述の再生モードにおける削除操作は、撮影画像の蓄積によって記録デバイスの記録可能領域が少なくなった場合に行われることが多く、この場合、記録デバイスに保存された大量の画像の中から、不要な画像を選択する削除操作は、ユーザにとって煩雑なものとなっていた。
【０００６】
また、記録デバイスが大容量化されると、記録デバイスに保存可能な画像数が増大するので、上記の削除操作は、さらに煩雑なものとなる。
【０００７】
そこで、本発明は、記録デバイスに保存されている画像の中から、不要な画像を選択する削除操作を低減することが可能な撮像装置を提供することを目的とする。
【課題を解決するための手段】
【０００８】
本発明は、上記課題を解決すべくなされたものであり、その第１の側面は、撮像装置であって、被写体像に関する撮影画像を取得する撮像素子と、表示部と、前記撮影画像を第１の記憶部に一時的に記録する一時記録モードを有効化するか否かを設定する設定手段と、前記一時記録モードが有効化された状態で使用者の所定の指示操作が取得された場合、前記一時記録モードが有効化された時から前記所定の指示操作が取得された時までの間に前記第１の記憶部に記録された前記撮影画像を前記表示部に再生表示させる表示制御手段と、前記再生表示された前記撮影画像の中から使用者によって指定された画像を、保存対象画像として第２の記憶部に記録する記録制御手段とを備え、前記記録制御手段は、前記撮像装置の電源オフ指示の検出または前記使用者による前記再生表示の解除指示の検出に応じて、前記再生表示された前記撮影画像のうち前記使用者によって指定されなかった非指定画像を前記第１の記憶部から消去する消去手段を有する。
【発明の効果】
【００１０】
本発明によれば、一時記録モードが有効化されたときから第１の記憶部に記録された撮影画像を表示部に再生表示させ、再生表示された撮影画像の中から、使用者によって指定された撮影画像を保存対象画像として第２の記録部に記録する。これによれば、第２の記録部には、保存対象とする画像が保存されるので、第２の記録部に保存されている画像から不要な画像を削除する煩雑な操作を低減させることができる。
【発明を実施するための最良の形態】
【００１１】
以下、本発明の実施形態について図面を参照して説明する。
【００１２】
＜１．第１実施形態＞
＜１−１．構成＞
図１および図２は、本発明の第１実施形態に係る撮像装置１Ａの外観構成を示す図である。ここで、図１は、撮像装置１Ａの正面外観図であり、図２は、撮像装置１Ａの背面外観図である。
【００１３】
撮像装置１Ａは、例えばデジタルカメラとして構成されており、その前面（図１参照）において撮影レンズ３を有している。
【００１４】
撮影レンズ３は、主として、レンズ群及び絞り等によって構成される。レンズ群には、光軸方向に移動することによって焦点位置を変更するフォーカスレンズ等が含まれている。
【００１５】
また、撮像装置１Ａは、その上面において露光開始を指示するためのレリーズボタン１１とフラッシュ４とを備えている。
【００１６】
レリーズボタン１１は、半押し状態（Ｓ１状態）と全押し状態（Ｓ２状態）の２つの状態を検出可能な２段階検出ボタンである。レリーズボタン１１が半押しされＳ１状態になると、被写体に関する記録用静止画像（本撮影画像）を取得するための準備動作（例えば、位相差による自動合焦（ＡＦ）制御動作および自動露出（ＡＥ）制御動作等）が行われる。また、レリーズボタン１１がさらに押し込まれてＳ２状態になると、当該本撮影画像の撮影動作（撮像素子（後述）を用いて被写体像に関する露光動作を行い、その露光動作によって得られた画像信号に所定の画像処理を施す一連の動作）が行われる。
【００１７】
また、撮像装置１Ａは、その背面（図２参照）において、モニタ１２とファインダ窓１０とメインスイッチ（電源スイッチ）１５とメニューボタン１６と方向選択キー１７と一時保存画像再生ボタン１３と保存ボタン１４とを備えている。
【００１８】
より詳細には、撮像装置１Ａの背面の略中央には、モニタ（「表示部」とも称する）１２が設けられている。モニタ１２は、例えばカラー液晶ディスプレイ（ＬＣＤ）として構成される。モニタ１２には、撮影条件等を設定するためのメニュー画面を表示したり、メモリカード等の記録デバイス１０６（図３）に記録された撮影画像を再生表示したりすることができる。
【００１９】
モニタ１２の上部には、ファインダ窓１０が設けられている。ファインダ窓１０には、被写体像が導かれ、撮影者（「使用者」または「ユーザ」とも称する）は、ファインダ窓１０を覗くことによって、被写体像を視認し、構図決めを行うことが可能である。
【００２０】
モニタ１２の左上部にはメインスイッチ１５が設けられている。メインスイッチ１５は２点スライドスイッチからなり、接点を左方の「ＯＦＦ」位置に設定すると、電源がオフになり、接点を右方の「ＯＮ」位置に設定すると、電源がオンになる。
【００２１】
モニタ１２の右側には方向選択キー（カーソルキー）１７が設けられている。この方向選択キー１７は円形の操作ボタンを有し、この操作ボタンにおける上下左右の４方向の押圧操作が、検出されるようになっている。なお、方向選択キー１７は、上記４方向の押圧操作とは別に、中央部のプッシュボタン（決定ボタン）の押圧操作も検出されるようになっている。
【００２２】
モニタ１２の右上部には、メニューボタン１６が設けられている。メニューボタン１６が押下されるとモニタ１２には、メニュー画面が表示され、ユーザは、方向選択キー１７との協働操作によって、撮影モードまたは再生モードにおける撮像装置１Ａの詳細動作（例えば、ＡＦモード、撮影画像の保存方法（画像保存方法）等）を設定することができる。
【００２３】
ここで、撮像装置１Ａが有する画像保存方法について説明する。撮像装置１Ａは、画像保存方法として、撮影された画像データを全て記録デバイス１０６に自動的に保存するモード（「直接保存モード」とも称する）と、撮影された画像データを画像メモリ１０３（図３参照）内のフォルダ（「一時保存フォルダ」とも称する）に一時的に保存し、一時保存によって蓄積された複数の画像の中から記録デバイス１０６に保存する画像をユーザに選択させるモード（「一時保存モード」または「一時記録モード」とも称する）とを有している。ユーザは、メニュー操作によって、直接保存モードか一時保存モードかを指定して、択一的に有効化することができる。なお、上記いずれの保存モードにおいても、記録デバイス１０６に保存される画像データは、ユーザによって予め指定されたフォルダに格納される。
【００２４】
モニタ１２の左側には、一時保存画像再生ボタン１３と保存ボタン１４と表示切替ボタン１８とが設けられている。
【００２５】
一時保存画像再生ボタン１３は、画像メモリ１０３内の一時保存フォルダに保存された画像をモニタ１２に再生表示するための指示ボタンである。
【００２６】
具体的には、一時保存モードが有効化されている状態で、一時保存画像再生ボタン１３が押下されると、画像メモリ１０３（図３参照）の一時保存フォルダに保存されている撮影画像（「一時保存画像」とも称する）がモニタ１２に再生表示される。再生表示された状態で、ユーザは、方向選択キー１７を操作することによって、モニタ１２に表示された一時保存画像の中から、保存対象とする画像（「保存対象画像」とも称する）を選択することができる。そして、ユーザは、保存ボタン１４を押下することによって、保存対象画像を記録デバイス１０６に保存させることができる。
【００２７】
このように一時保存モードを利用すると、ユーザは、撮影を行う撮影モード実行中に、ユーザの意図した任意のタイミング（所望のタイミング）で、撮影画像の中から保存対象画像を選択して記録デバイス１０６に保存可能となる。これによれば、撮影後、撮影モードから再生モードに切り替えて、記録デバイス１０６に保存されている大量の画像の中から、消去対象（削除対象）とする画像を選択するという煩雑な操作を回避することが可能になる。
【００２８】
表示切替ボタン１８は、モニタ１２における表示態様を切り替える機能を有している。
【００２９】
例えば、一時保存画像がモニタ１２に再生表示されている状態で、表示切替ボタン１８が押下されると、再生表示の表示態様が変更される。より詳細には、一時保存画像のモニタ１２への表示態様は、表示切替ボタン１８等の押下操作により、１枚の画像をモニタ１２に表示させる１枚再生（１コマ再生）と、９枚の画像をモニタ１２に一度に表示させるインデックス再生と、画像とともに当該画像のヒストグラム（輝度分布）をモニタ１２に表示させるヒストグラム（輝度）表示と、画像の一部を拡大して表示させる拡大再生との間で変更可能である。
【００３０】
＜１−２．機能＞
次に、撮像装置１Ａの機能の概要について説明する。図３は、撮像装置１Ａの機能構成を示すブロック図である。
【００３１】
図３に示すように、撮像装置１Ａは、撮像部１０１、画像データ取得処理部１０２、画像メモリ１０３、着脱可能な記録デバイス１０６、全体制御部１１０、および操作部１１１等を備えている。
【００３２】
操作部１１１は、レリーズボタン１１および一時保存画像再生ボタン１３（図２参照）を含む各種ボタンおよびスイッチ等を備えて構成される。操作部１１１に対するユーザの入力操作に応答して、全体制御部１１０等が各種動作を実現する。例えば、レリーズボタン１１の全押し状態が検出されると、本撮影画像の撮影動作が実行される。
【００３３】
撮像部１０１は、撮像素子（ＣＣＤまたはＣＭＯＳ）等の光学センサを備えて構成される。撮像素子は、受光面に結像された被写体像の露光（光電変換による電荷蓄積）を行い、当該被写体像に関する画像信号を生成する。具体的には、撮像素子は、フォトダイオードを有して構成される複数の画素がマトリクス状に２次元配置され、各画素の受光面にＲ(赤)、Ｇ(緑)、Ｂ(青)の原色透過フィルターが市松状に配設されてなるベイヤー配列のカラーセンサ（例えば、ＣＣＤ）として構成される。そして、撮像素子は、結像された被写体の光像をＲ（赤）、Ｇ（緑）、Ｂ（青）各色成分のアナログの電気信号に変換し、画像信号を生成する。
【００３４】
画像データ取得処理部１０２は、操作部１１１を介したユーザの指示操作に応じて（詳細には、レリーズボタン１１の押下操作を検知して全体制御部から出力される撮影指示信号に応じて）、撮像部１０１から画像信号を取得し、所定の画像処理を施して撮影画像に関する画像データを取得する機能を有している。
【００３５】
画像メモリ１０３は、不揮発性メモリによって構成され、複数フレーム分の画像データを記憶可能な容量を有し、画像データ取得処理部１０２で取得され所定の処理が施された画像データを一時的に記憶する機能を有している。
【００３６】
全体制御部１１０は、マイクロコンピュータとして構成され、主にＣＰＵ、ＲＡＭ１１０ａ及びＲＯＭ１１０ｂ等を備える。
【００３７】
全体制御部１１０は、ＲＯＭ１１０ｂ内に格納されるプログラムを読み出し、当該プログラムをＣＰＵで実行することによって、各種機能を実現する。図３において、表示制御部１０４および記録制御部１０５は、全体制御部１１０においてプログラムを実行することによって実現される機能を機能ブロックとして表したものである。
【００３８】
表示制御部１０４は、操作部１１１から入力されるユーザの指示操作に応じて、モニタ１２に表示する画像の画像データを記憶部としての画像メモリ１０３または記録デバイス１０６から、ＲＡＭ１１０ａへと転送するとともに、必要な処理を行って表示部１２に画像として表示させる。
【００３９】
また、記録制御部１０５は、画像データを画像メモリ１０３または記録デバイス１０６に保存するとともに、画像メモリ１０３または記録デバイス１０６に保存された画像データを削除（消去）する機能を有している。
【００４０】
具体的には、記録制御部１０５は、直接保存モードが有効化された状態では、画像メモリ１０３に一時保存された画像データをＲＡＭ１１０ａに読み出して所定の処理を施した後、記録デバイス１０６に保存する。
【００４１】
また、記録制御部１０５は、一時保存モードが有効化された状態では、撮影画像に関する画像データを画像メモリ１０３に一時的に保存するとともに、画像メモリ１０３内の画像の中から保存対象として指定（選択）された画像（保存対象画像）の画像データを記録デバイス１０６に保存する。そして、保存対象として指定されなかった画像（「非保存対象画像」または「非指定画像」とも称する）の画像データを所定のタイミング（例えば、撮像装置１Ａの電源ＯＦＦ時）で画像メモリ１０３から消去する。
【００４２】
＜１−３．動作＞
次に、撮像装置１Ａの動作について説明する。図４および図５は、撮像装置１Ａの動作を示すフローチャートである。図６は、メニュー画面の一例を示す図である。図７は、再生表示画面の一例を示す図である。図８は、確認表示の一例を示す図である。
【００４３】
図４に示されるように、撮像装置１Ａの電源が投入されると、ステップＳＰ１では、メニューボタン１６が押下されたか否かが検出される。メニューボタン１６の押下操作が検出されなかった場合は、ステップＳＰ３へ移行し、メニューボタン１６の押下操作が検出された場合は、ステップＳＰ２へと移行する。
【００４４】
ステップＳＰ２では、メニュー画面における各種設定が行われる。具体的には、メニューボタン１６の押下操作が検出されると（ステップＳＰ１）、モニタ１２には、メニュー画面が表示される。そして、ユーザは、方向選択キー１７を操作することにより、メニュー画面上において撮像装置１Ａの各種動作を設定することができる。
【００４５】
例えば、画像保存方法を一時保存モードに設定する場合は、図６に示すようにメニュー画面上において、設定項目として「画像保存方法」ＫＭを選択し、画像保存方法の設定内容として「選択した画像だけ保存」ＮＹ２を選択すればよい。一方、画像保存方法を直接保存モードに設定する場合は、メニュー画面上において、画像保存方法の設定内容として「撮影後メモリカードに保存」ＮＹ１を選択すればよい。
【００４６】
ステップＳＰ３では、レリーズボタン１１が押下されたか否かが検出される。レリーズボタン１１の押下操作が検出されなかった場合は、ステップＳＰ８へ移行し、レリーズボタン１１の押下操作が検出された場合は、ステップＳＰ４へと移行する。
【００４７】
ステップＳＰ４では、撮影動作が実行される。具体的には、レリーズボタン１１の半押し状態（Ｓ１状態）が検出されると、ＡＦ制御動作およびＡＥ制御動作等が行われ、さらにレリーズボタン１１の全押し状態（Ｓ２状態）が検出されると、撮像部１０１によって被写体像に関する露光動作が行われる。そして、画像データ取得処理部１０２によって露光動作で得られた画像信号に所定の画像処理が施され、画像メモリ１０３に記憶される。
【００４８】
ステップＳＰ５では、画像保存方法として一時保存モードが設定（有効化）されているか否かが判定される。一時保存モードが有効化されていない場合（直接保存モードが有効化されている場合）は、ステップＳＰ６へ移行する。ステップＳＰ６では、画像メモリ１０３に記憶された画像データは、記録制御部１０５によって記録用の画像データに変換され記録デバイス１０６に保存される。
【００４９】
一方、ステップＳＰ５で一時保存モードが有効化されていると判定された場合は、ステップＳＰ７へと移行する。ステップＳＰ７では、記録制御部１０５によって画像メモリ１０３に記憶された画像データが、画像メモリ１０３内の一時保存フォルダに保存される。
【００５０】
ステップＳＰ８では、一時保存フォルダに保存された画像データに対する再生表示指示の有無が判定される。一時保存画像再生ボタン１３の押下操作による再生表示指示が検出されなかった場合は、ステップＳＰ１３へ移行し、再生表示指示が検出された場合（一時保存画像再生ボタン１３の押下操作があった場合）は、ステップＳＰ９へと移行する。
【００５１】
ステップＳＰ９では、一時保存画像がモニタ１２に再生表示される（図７参照）。これにより、ユーザは、一時保存モードが有効化されたときから一時保存画像再生ボタン１３が押下されるまで（再生表示指示が検出されるまで）の間に撮影された画像をモニタ１２において視認することが可能になる。
【００５２】
ステップＳＰ１０では、方向選択キー１７等を用いたユーザの指示操作によって、保存対象画像の選択（指定）が行われる。具体的には、ユーザは、図７に示されるような再生表示画面上において、方向選択キー１７を操作してターゲット枠ＷＫを画像間で移動させ、保存対象とする画像にターゲット枠ＷＫを合わせた状態で方向選択キー１７の決定ボタンを押下することによって、保存対象画像を指定することができる。保存対象画像として指定（選択）された画像（「指定画像」または「選択画像」とも称する）には、非指定画像と視覚によって区別が可能な選択確認表示ＨＭ（図７では、画像左上部にチェックボックスが出現し、チェックマークが表示されている）が付される。
【００５３】
ステップＳＰ１１では、保存ボタン１４の押下に応じて、記録制御部１０５によって指定画像が記録デバイス１０６に転送され保存されるとともに、一時保存フォルダ内の選択画像に関する画像データが消去される。
【００５４】
ステップＳＰ１２では、再生表示の解除指示の有無が判定される。具体的には、一時保存画像再生ボタン１３の再押下操作等による再生表示の解除指示が検出されなかった場合は、ステップＳＰ１０に移行する。これにより、再生表示の解除指示があるまで撮影画像の保存処理（ステップＳＰ１０〜ステップＳＰ１２）が継続して実行可能となる。一方、再生表示の解除指示が検出された場合は、ステップＳＰ１３に移行する。
【００５５】
ステップＳＰ１３では、メインスイッチ１５の操作による撮像装置１Ａの電源ＯＦＦ（オフ）指示が検出されたか否かが判定される。電源のＯＦＦ指示が検出されなかった場合（電源のＯＮ状態が継続された場合）は、ステップＳＰ１へと移行する。すなわち、電源のＯＦＦ指示が検出されるまで、撮像装置１Ａでは、ステップＳＰ１〜ステップＳＰ１３の処理が繰り返し実行される。
【００５６】
一方、電源のＯＦＦ指示が検出された場合は、ステップＳＰ１４へと移行する。
【００５７】
ステップＳＰ１４では、上述のステップＳＰ５と同様に、画像保存方法として一時保存モードが設定（有効化）されているか否かが判定される。一時保存モードが有効化されていない場合は、ステップＳＰ１８へ移行し、撮像装置１Ａの電源がＯＦＦされる。
【００５８】
一方、一時保存モードが有効化されていると判定された場合は、ステップＳＰ１５へと移行する。ステップＳＰ１５〜ステップＳＰ１７では、一時保存フォルダ内に残された画像データの消去処理（「残画像データの消去処理」とも称する）が行われる。
【００５９】
具体的には、ステップＳＰ１５では、一時保存フォルダ内に画像データが存在するか否かが判定される。画像データが存在しない場合は、ステップＳＰ１８の電源ＯＦＦ処理に移行し、画像データが存在する場合は、ステップＳＰ１６へと移行する。
【００６０】
ステップＳＰ１６では、ユーザに対して、一時保存フォルダ内の画像データについて保存操作を行うか否かの確認（保存確認）が行われる。保存確認は、例えば、図８に示されるような確認（警告）表示ＨＮをモニタ１２に出力させることにより行われる。そして、ユーザによって保存操作を行うことが選択された場合は、一時保存フォルダ内の一時保存画像がモニタ１２に表示され、ユーザによる保存対象画像の選択が行われ、指定画像が記録デバイス１０６に保存される。
【００６１】
ステップＳＰ１７では、記録制御部１０５によって、一時保存フォルダ内の画像データが全て消去（削除）される。
【００６２】
このように、ステップＳＰ１５〜ステップＳＰ１７では、残画像データの消去処理が行われ、一時保存フォルダ内の画像データが全て消去される。これによれば、撮像装置１Ａの動作ごとに一時保存フォルダを空にできるので、画像メモリ１０３の容量を有効に利用することが可能になる。
【００６３】
ステップＳＰ１８では、撮像装置１Ａの電源がＯＦＦされる。
【００６４】
以上のように、撮像装置１Ａは、被写体像に関する撮影画像を取得する撮像素子と、モニタ１２と、撮影画像を第１の記憶部に一時的に記録する一時保存モードを有効化するか否かを設定する設定手段と、一時保存モードが有効化されている場合は、一時保存モードが有効化されたときから第１の記憶部に記録された撮影画像を、使用者の指示操作に応じて表示部に再生表示させる表示制御部１０４と、再生表示された撮影画像の中から、ユーザによって指定された画像を、保存対象画像として記録デバイス１０６に記録する記録制御部１０５とを備えている。これによれば、記録デバイス１０６には、保存対象画像が保存されるので、記録デバイス１０６に保存されている画像から不要な画像を削除する煩雑な操作を低減することができる。また、記録デバイス１０６には、不要な画像が保存されにくくなるので、記録デバイス１０６の記憶可能領域を有効に利用することが可能になる。
【００６５】
また、撮像装置１Ａでは、一時保存モードを利用することによって、撮像装置１Ａの電源オンから電源オフまでの期間を一単位として、撮像装置１Ａの動作（起動）ごとに保存対象画像を決定することができるので、取得された撮影画像の整理が容易となる。
【００６６】
また、一般的に、デジタルカメラでは、撮影した画像を手軽に消去できることから、ユーザは失敗を恐れず同一の被写体に対して複数回の撮影を行う傾向にあり、撮影された画像の中には、ユーザにとって不要な画像が多く含まれる可能性が高くなる。このため、削除対象とする画像を選択する操作よりも、保存対象とする画像を選択する操作の方が、ユーザにとっては簡易な操作となる。すなわち、保存対象とする画像を選択する操作を行う撮像装置１Ａでは、より効率良く保存対象画像を記録デバイス１０６に保存することが可能になる。
【００６７】
＜２．第２実施形態＞
第２実施形態に係る撮像装置１Ｂは、上記第１実施形態に係る撮像装置１Ａと同様の構成および機能を有するとともに（図１，図２，図３参照）、画像メモリ１０３内の一時保存フォルダに保存される画像データの容量を制限する機能をさらに有している。
【００６８】
撮像装置１Ｂの記録制御部１０５（図３）は、ユーザのメニュー操作等によって予め設定された容量（「設定容量」とも称する）を上限値として、一時保存フォルダに保存される画像データの容量が当該上限値以下となるように制御する。
【００６９】
具体的には、記録制御部１０５は、撮像部１０１等によって取得された新たな画像データを一時保存フォルダに格納すると一時保存フォルダ内の画像データの総容量が設定容量を超過することになる場合は、一時保存フォルダに既に保存されている画像データ（「既保存データ」）の一部を優先度の低い順に（例えば、取得時の古い画像データから順に）自動的に消去する。
【００７０】
これによれば、一時保存フォルダ内の画像データの総容量が設定容量を超過することになる場合は、一時保存フォルダの記録済み領域を解放して記録可能領域とするため、一時保存フォルダの記録領域を有効に利用することができる。
【００７１】
＜３．変形例＞
以上、この発明の実施の形態について説明したが、この発明は、上記に説明した内容に限定されるものではない。
【００７２】
例えば、上記各実施形態においては、残画像データの消去処理（ステップＳＰ１５〜ステップＳＰ１７）を、撮像装置１Ａの電源オフ指示の検出に応じて（電源オフ指示が検出された後に）実行していたが、これに限定されない。図９および図１０は、変形例に係る撮像装置１Ｃの動作を示すフローチャートである。
【００７３】
具体的には、図９および図１０に示されるように、残画像データの消去処理（ステップＳＰ３３〜ステップＳＰ３５）を再生表示の解除指示（ステップＳＰ３２）の検出に応じて実行してもよい。
【００７４】
詳細には、ステップＳＰ２１〜ステップＳＰ３２において上述のステップＳＰ１〜ステップＳＰ１２と同様の処理を実行した後、ステップＳＰ３３において一時保存フォルダ内に画像データが存在するか否かが判定される。画像データが存在しない場合は、ステップＳＰ３６に移行し、画像データが存在する場合は、ステップＳＰ３４へと移行する。
【００７５】
ステップＳＰ３４では、ユーザに対して、一時保存フォルダ内の画像データについて保存操作を行うか否かの確認（保存確認）が行われる。ユーザによって保存操作を行うことが選択された場合は、一時保存フォルダ内の一時保存画像がモニタ１２に表示され、ユーザによる保存対象画像の選択が行われる。
【００７６】
ステップＳＰ３５では、記録制御部１０５によって、一時保存フォルダ内の画像データが全て消去される。
【００７７】
そして、ステップＳＰ３６では、撮像装置１Ａの電源ＯＦＦ指示が検出されたか否かが判定される。電源のＯＦＦ指示が検出されなかった場合（電源のＯＮ状態が継続された場合）は、ステップＳＰ２１へと移行し、電源のＯＦＦ指示が検出されるまで、撮像装置１Ｃでは、ステップＳＰ２１〜ステップＳＰ３６の処理が繰り返し実行される。一方、電源のＯＦＦ指示が検出された場合は、ステップＳＰ３７へと移行し、ステップＳＰ３７では、撮像装置１Ａの電源がＯＦＦされる。
【００７８】
このように、撮像装置１Ｃでは、残画像データの消去処理が再生表示の解除指示（ステップＳＰ３２）の検出に応答して実行される。
【００７９】
また、残画像データの消去処理（ステップＳＰ１５〜ステップＳＰ１７）は、メニュー操作または消去指示ボタン（不図示）の押下操作等によるユーザからの明示の消去指示に応じて実行されるようにしてもよい。
【００８０】
また、上記各実施形態においては、一時保存モードが有効化されている状態において、撮影された画像データは、画像メモリ１０３内の一時保存フォルダに一時的に保存していたがこれに限定されない。
【００８１】
具体的には、記録デバイス１０６内に新たなフォルダを作成し、当該新たなフォルダを一時保存フォルダとしてもよい。すなわち、当該変形例に係る撮像装置では、一時保存モードが有効化されている状態では、撮影された画像データは、記録デバイス１０６内の一時保存フォルダに一時的に保存される。
【図面の簡単な説明】
【００８２】
【図１】本発明の第１実施形態に係る撮像装置の外観構成を示す図である。
【図２】本発明の第１実施形態に係る撮像装置の外観構成を示す図である。
【図３】撮像装置の機能構成を示すブロック図である。
【図４】撮像装置の動作を示すフローチャートである。
【図５】撮像装置の動作を示すフローチャートである。
【図６】メニュー画面の一例を示す図である。
【図７】再生表示画面の一例を示す図である。
【図８】確認表示の一例を示す図である。
【図９】変形例に係る撮像装置の動作を示すフローチャートである。
【図１０】変形例に係る撮像装置の動作を示すフローチャートである。
【符号の説明】
【００８３】
１１  レリーズボタン
１２  モニタ（表示部）
１３  一時保存画像再生ボタン
１４  保存ボタン
１５  メインスイッチ
１６  メニューボタン
１７  方向選択キー
１８  表示切替ボタン
１０１  撮像部
１０２  画像データ取得処理部
１０３  画像メモリ
１０４  表示制御部
１０５  記録制御部
１０６  記録デバイス
１１０  全体制御部
１１１  操作部
ＨＭ  選択確認表示
ＨＮ  確認表示
ＷＫ  ターゲット枠
【図１】
0004930293.tif 000002
【図２】
0004930293.tif 000003
【図３】
0004930293.tif 000004
【図４】
0004930293.tif 000005
【図５】
0004930293.tif 000006
【図６】
0004930293.tif 000007
【図７】
0004930293.tif 000008
【図８】
0004930293.tif 000009
【図９】
0004930293.tif 000010
【図１０】
0004930293.tif 000011